(57)【要約】【課題】渦巻ばねにより使用者が車輪を引き戻すことをアシストし、スポーツ障害の発生を減らして安全性が高まる上、渦巻ばねが変形したり損壊したりすることを防ぐ腹筋ローラーを提供する。【解決手段】腹筋ローラーは、車輪１、軸部材２及び渦巻ばね３を備える。車輪１は、２つのローラにより構成され、２つのローラは互いに固着される。車輪１の内部には、収容空間１２が形成される。軸部材２は、車輪１の中央部に挿設されるとともに、車輪１に枢着され、軸部材２の両端には、車輪１の外側でハンドル２１が取り付けられる。渦巻ばね３は、軸部材２を軸心として収容空間１２中に配設されるとともに、一端が収容空間１２に連結固定され、他端が軸部材２に連結固定され、外縁に位置拘束リング３１が設けられる。【選択図】図１
0003211653.tif 000002
【実用新案登録請求の範囲】
【請求項１】
車輪、軸部材及び渦巻ばねを備えた腹筋ローラーであって、
前記車輪は、２つのローラにより構成され、前記２つのローラは互いに固着され、
前記車輪の内部には、収容空間が形成され、
前記軸部材は、前記車輪の中央部に挿設されるとともに、前記車輪に枢着され、前記軸部材の両端には、前記車輪の外側でハンドルが取り付けられ、
前記渦巻ばねは、前記軸部材を軸心として前記収容空間中に配設されるとともに、一端が前記収容空間に連結固定され、他端が前記軸部材に連結固定され、外縁に位置拘束リングが設けられることを特徴とする、
腹筋ローラー。
【請求項２】
前記車輪の外縁には、前記渦巻ばねの巻き込み方向で方向指示マークが設けられていることを特徴とする請求項１に記載の腹筋ローラー。
【請求項３】
前記車輪は、螺合部材を介して螺着され、前記螺合部材の外縁には、消音ワッシャが嵌合されていることを特徴とする請求項１に記載の腹筋ローラー。
【考案の詳細な説明】
【技術分野】
【０００１】
本考案は、腹筋ローラーに関し、特に、使用者が車輪を引き戻すことを渦巻ばねによりアシストし、スポーツ障害の発生を減らして安全性が高まる上、渦巻ばねが変形したり損壊したりすることを防ぎ、渦巻ばねの巻き込み動作を制御し、渦巻ばねを使用する際に騒音が発生することを防ぐことができるため、実用性が高い腹筋ローラーに関する。
【背景技術】
【０００２】
現代社会は、生活リズムが早く、人々の生活は非常に忙しいため、様々なプレッシャーから精神的ストレスを感じ易いため、適時ストレスを解消することは日常生活において重要である。そのため仕事をする際、気分転換を行い、将来より大きなことに挑戦し続けることができるように、多くの民衆は様々な運動を行って身体的・精神的にリラックスしている。体内の脂肪量を減らして新陳代謝を高めて血液循環を改善すると、体の健康上大きな助けとなる。
【０００３】
一般に各種運動補助器材でよく見かける腹筋ローラーは、車輪に軸杆が枢着され、軸杆の両端には、車輪の外側に位置するハンドルが取り付けられ、使用者が立ったり跪いたりして両手でハンドルを握り、車輪を地面に当接し、使用者が車輪を前方へ押動してから引き戻す往復動作を行い、トレーニングすることができる。
【０００４】
しかし、上述した腹筋ローラーは、使用者が体を鍛えるという期待される効果を達成することができるが、実際に使用すると分かるように、その構造には、引き戻すことを補助する構造が設けられていないため、使用者が車輪を前方へ押動する際、車輪を押動したり引き戻したりする力が使用者に十分無いか、車輪を往復させるのに十分な力が使用者にない場合、使用者は倒れてしまったり、最悪の場合、怪我したりする虞があり、使用上、一定程度の危険性があり、その全体構造には依然として改善の余地があった。
【０００５】
こうした現状に鑑み、本考案者は鋭意研究を重ねた結果、本考案の腹筋ローラーを完成したものである。
【考案の概要】
【考案が解決しようとする課題】
【０００６】
本考案の目的は、使用者が車輪を引き戻すことを渦巻ばねによりアシストし、スポーツ障害の発生を減らして安全性が高まる上、渦巻ばねが変形したり損壊したりすることを防ぎ、渦巻ばねの巻き込み動作を制御し、渦巻ばねを使用する際に騒音が発生することを防いで実用性が高い、腹筋ローラーを提供することにある。
【課題を解決するための手段】
【０００７】
上記課題を解決するために、本考案の第１の形態によって、車輪、軸部材及び渦巻ばねを備えた腹筋ローラーであって、前記車輪は、２つのローラにより構成され、前記２つのローラは互いに固着され、前記車輪の内部には、収容空間が形成され、前記軸部材は、前記車輪の中央部に挿設されるとともに、前記車輪に枢着され、前記軸部材の両端には、前記車輪の外側でハンドルが取り付けられ、前記渦巻ばねは、前記軸部材を軸心として前記収容空間中に配設されるとともに、一端が前記収容空間に連結固定され、他端が前記軸部材に連結固定され、外縁に位置拘束リングが設けられることを特徴とする腹筋ローラーを提供する。
【０００８】
前記車輪の外縁には、前記渦巻ばねの巻き込み方向で方向指示マークが設けられていることが好ましい。
【０００９】
前記車輪は、螺合部材を介して螺着され、前記螺合部材の外縁には、消音ワッシャが嵌合されていることが好ましい。
【図面の簡単な説明】
【００１０】
【図１】本考案の一実施形態に係る腹筋ローラーを示す分解斜視図である。
【図２】本考案の一実施形態に係る腹筋ローラーを示す斜視図である。
【図３】本考案の一実施形態に係る腹筋ローラーを示す組立断面図である。
【図４】本考案の一実施形態に係る腹筋ローラーの使用状態の説明図である。
【考案を実施するための形態】
【００１１】
本考案の技術手段及びそれにより達成可能な効果を、より完全かつ明白に開示するために、開示した添付の図面及び符号と併せて本考案を以下詳説する。
【００１２】
まず、図１〜図３を参照する。図１は、本考案の一実施形態に係る腹筋ローラーを示す分解斜視図である。図２は、本考案の一実施形態に係る腹筋ローラーを示す斜視図である。図３は、本考案の一実施形態に係る腹筋ローラーを示す組立断面図である。
図１〜図３に示すように、本考案の一実施形態に係る腹筋ローラーは、少なくとも車輪１、軸部材２及び渦巻ばね３から構成されてなる。
【００１３】
車輪１は、２つのローラにより構成され、２つのローラは互いに固着される。車輪１は、螺合部材１１を介して螺着され、螺合部材１１の外縁には、消音ワッシャ１１１が嵌合される。車輪１の内部には、収容空間１２が形成され、軸部材２が車輪１の中央部に挿設され、車輪１に軸部材２が枢着される。軸部材２の両端には、車輪１の外側でハンドル２１が取り付けられている。渦巻ばね３は、軸部材２を軸心として収容空間１２中に配設される。
渦巻ばね３は、一端が収容空間１２に連結固定され、他端が軸部材２に連結固定され、外縁に位置拘束リング３１が設けられ、位置拘束リング３１により渦巻ばね３を保護して位置拘束し、渦巻ばね３が変形したり損壊したりすることを防ぐ。車輪１の外縁には、渦巻ばね３の巻き込み方向で方向指示マーク１３が設けられている。
【００１４】
本考案を実際に使用する場合、使用者が立つか座るかして両手で軸部材２の両端に取り付けられたハンドル２１を握り、車輪１を地面上に当接させ、使用者は車輪１の方向指示マーク１３が指し示す方向へ押動することができる。車輪１を押動すると、渦巻ばね３は、車輪１の回転に伴って次第に巻き込まれ（図４を併せて参照する）、使用者が車輪１を引き戻す際、渦巻ばね３の回復弾力により使用者は車輪１を楽に引き戻すことができ、使用者にスポーツ障害が起きることを防ぐことができる。
渦巻ばね３を使用する際、車輪１に螺合した螺合部材１１の外縁に消音ワッシャ１１１が嵌合され、渦巻ばね３と螺合部材１１との間が消音ワッシャ１１１により隔離されているため、渦巻ばね３と螺合部材１１とが接触して異音が発生することを防ぐことができる。また、渦巻ばね３の外縁には、位置拘束リング３１が設けられ、位置拘束リング３１により渦巻ばね３を正しく位置決めしたり外れたりすることを防ぐとともに、渦巻ばね３が作動する際、騒音が発生することを防ぐ。
【００１５】
上述したことから分かるように、本考案の腹筋ローラーは、従来技術と比べ、以下（１）及び（２）の長所を有する。
（１）渦巻ばねが軸部材を軸心として収容空間中に配設され、使用者が車輪を引き戻すときに、渦巻ばねの回復弾力を利用し、使用者が車輪を引き戻す際にスポーツ障害が起きることを防いで安全に使用できるようにする。
（２）渦巻ばねの外縁には、位置拘束リングが設けられ、位置拘束リングにより渦巻ばねを保護して位置拘束し、渦巻ばねが変形したり損壊したりすることを防ぎ、渦巻ばねの巻き込み動作を制御し、渦巻ばねを使用する際に車輪の回転位置がずれて騒音が発生することを防ぐことができるため、実用性が高い。
【符号の説明】
【００１６】
１      車輪
２      軸部材
３      渦巻ばね
１１    螺合部材
１２    収容空間
１３    方向指示マーク
２１    ハンドル
３１    位置拘束リング
１１１  消音ワッシャ
【図１】
0003211653.tif 000003
【図２】
0003211653.tif 000004
【図３】
0003211653.tif 000005
【図４】
0003211653.tif 000006